(57)【特許請求の範囲】
【請求項１】
複数の音声データを蓄積したデータベースと、複数の映像データを蓄積したデータベースとの何れか一方または双方を具えたサーバと、ディスプレイ及び入力装置を具えて成る利用者のコンピュータとをインターネットを通じて接続し、前記サーバに蓄積されたデータを利用者のコンピュータに対して配信するデータ配信システムにおいて、個々の音声データ及び映像データにはデータが帰属する群を表す属性情報が付加されるものであり、更に群の大きさが階層的に異なるような複数の属性情報が付加されるものであり、利用者が入力したキーワードと、前記個人情報データベースに蓄積された利用者毎の過去の利用履歴の内、利用者が過去にダウンロードしたファイル名に付加された属性情報に基づいてサーバにより選定された別途のキーワードと、の双方のキーワードを属性情報として含むファイルを選出すべくデータ検索を行うようにしたことを特徴とする効果音及び映像の配信システム。
【請求項２】
前記サーバは、音声データと映像データとの間に関連する属性情報を保有するものであり、利用者の要求により、利用者の指定した音声データと関連のある映像データまたは利用者の指定した映像データと関連のある音声データを配信できるように構成したことを特徴とする請求項１記載の効果音及び映像の配信システム。
【請求項３】
前記利用者側に具えたディスプレイに対して、過去に配信を行ったことのある音声データまたは映像データの情報を表示するとともに、これら音声データまたは映像データを再配信できるようにしたことを特徴とする請求項１または２記載の効果音及び映像の配信システム。
【請求項４】
前記個人情報データベースに蓄積された利用者毎の過去の利用履歴に基づいて、以降にデータベースに蓄積する音声データまたは映像データを決定するものであり、この決定に基づいてデータの収集を行うようにしたことを特徴とする請求項１、２または３記載の効果音及び映像の配信システム。
【請求項５】
前記音声データ及び映像データは、インターネットを経由して自動収集されることを特徴とする請求項４記載の効果音及び映像の配信システム。
【発明の詳細な説明】
【０００１】
【発明の属する技術分野】
本発明はＷＥＢ上での音声素材及び映像素材の配信システムに関するものであって、特にビデオ作品の素材となる効果音や動画、静止画等の映像を合理的に配信することのできる効果音及び映像の配信システムに係るものである。
【０００２】
【発明の背景】
近時、ＩＴ関連機器の高機能化、低価格化及びインターネット環境の整備が進み、コンピュータ及びその周辺機器が一般家庭にも広く普及している。このような環境の下、例えば個人がデジタルカメラ、デジタルビデオカメラ等を用いて撮影した映像を加工、編集して出来上がった作品を、ＣＤ−Ｒ等の記録媒体に書き込んで配布したり、あるいは自身のホームページに載せてＷＥＢ上で公開するといったことも盛んに行われている。
【０００３】
また、商業放送でのドラマ、ＣＭあるいは個人による自主制作映画等の映像作品を制作するにあたっては、従来はアナログでのリニア編集が行われており、８ｍｍフィルム、ビデオテープ、オーディオテープ等を用い、フィルムやテープの切りつなぎ、ダビング、アフレコ等の手法が用いられていた。しかし現在では映像素材、音声素材をデジタル化し、コンピュータ及び編集ソフトを用いたデジタルでのノンリニア編集が行われている。このようなノンリニア編集は、素材をパソコン等のＨＤＤやＲＡＭ等に書き込むことにより、編集したい任意の個所を即座に読み出すことができるため、アナログでのリニア編集と比べて作業を大幅に軽減し得るものである。
【０００４】
上述のように現在では、デジタル化した映像作品を制作したり公開する上でのハードウェア的な環境は確実に整いつつある一方、映像作品を制作する上でのソフトウェア的な要素、具体的には作品をよりドラマチカルに演出するための効果音（Ｓｏｕｎｄ  Ｅｆｆｅｃｔ）等の入手に関する環境は十分なものであるとはいえない。
【０００５】
前記効果音は通常編集の段階で付加されるものであり、大手制作会社、テレビ局等にあっては独自に所有するライブラリー、データベースに蓄積されたものを用いることが可能である。一方、小規模団体や個人ではこのようなライブラリーを保有することは難しく、ＣＤ等に収録された状態で市販されているものを用いることが多い。従ってある一つの素材しか必要としないのに、複数の素材が収録されたＣＤを購入せざるをえなかったり、あるいは必要とする素材が見つからない場合には独自に収録しなければならないといった不便さがある。更には素材が見つからず収録も不可能である場合には、類似した素材（例えば４ストロークエンジンのバイクの映像に２ストロークエンジンのバイクの音）を用いることを余儀なくされ結果的に興をそいでしまったり、そのシーンをカットする等して演出を変更しなければならず、作品が制作者の本来の意図とは異なったものに仕上がってしまうことも考えられる。
【０００６】
ところで最近では、上記効果音をデータベース化して、インターネットを通じて有償または無償で配信するＷＥＢサイトも多数存在するが、その多くはサイト制作者の嗜好で選択された素材しか用意しておらず、利用者側からすると必ずしも所望の素材が用意されているとは言えないのが実情である。
このようなＷＥＢサイトで自分の欲しい素材を探す為には、素材に関連する言葉をキーワードとして入力して検索を行うのが一般的であるが、絞り込みが上手くいかなかった場合には検索結果が膨大なものとなってしまい、更にキーワードが不適切であった場合には検索もれとなって自分の欲しい素材を探し出すことができないといったことも起きていた。
【０００７】
【開発を試みた技術的課題】
本発明はこのような背景を認識してなされたものであって、利用者の要求を満足する効果音、映像等を合理的に収集、配信することのできる新規な効果音及び映像の配信システムを開発することを技術的課題とした。
【０００８】
【課題を解決するための手段】
すなわち請求項１記載の効果音及び映像の配信システムは、複数の音声データを蓄積したデータベースと、複数の映像データを蓄積したデータベースとの何れか一方または双方を具えたサーバと、ディスプレイ及び入力装置を具えて成る利用者のコンピュータとをインターネットを通じて接続し、前記サーバに蓄積されたデータを利用者のコンピュータに対して配信するデータ配信システムにおいて、個々の音声データ及び映像データにはデータが帰属する群を表す属性情報が付加されるものであり、更に群の大きさが階層的に異なるような複数の属性情報が付加されるものであり、利用者が入力したキーワードと、前記個人情報データベースに蓄積された利用者毎の過去の利用履歴の内、利用者が過去にダウンロードしたファイル名に付加された属性情報に基づいてサーバにより選定された別途のキーワードと、の双方のキーワードを属性情報として含むファイルを選出すべくデータ検索を行うようにしたことを特徴として成るものである。
この発明によれば、利用者の嗜好に沿ったデータを迅速に検索することができる。
【０００９】
また請求項２記載の効果音及び映像の配信システムは、前記要件に加え、前記サーバは、音声データと映像データとの間に関連する属性情報を保有するものであり、利用者の要求により、利用者の指定した音声データと関連のある映像データまたは利用者の指定した映像データと関連のある音声データを配信できるように構成したことを特徴として成るものである。
この発明によれば、例えば場面映像（使用音声）が決まっているにもかかわらず使用すべき最適音声の決定を躊躇ないしは思い悩んでいるような状況にある利用者に、好適な音声データ（映像データ）を例示することができる。
【００１０】
更にまた請求項３記載の効果音及び映像の配信システムは、前記要件に加え、前記利用者側に具えたディスプレイに対して、過去に配信を行ったことのある音声データまたは映像データの情報を表示するとともに、これら音声データまたは映像データを再配信できるようにしたことを特徴として成るものである。
この発明によれば、利用者は自身の購入履歴を容易に確認できるとともに、再度のダウンロードを簡易に行うことができる。
【００１１】
更にまた請求項４記載の効果音及び映像の配信システムは、前記要件に加え、前記個人情報データベースに蓄積された利用者毎の過去の利用履歴に基づいて、以降にデータベースに蓄積する音声データまたは映像データを決定するものであり、この決定に基づいてデータの収集を行うようにしたことを特徴として成るものである。
この発明によれば、サーバに蓄積するデータをより利用者の要求に沿ったものとすることができる。
【００１２】
更にまた請求項５記載の効果音及び映像の配信システムは、前記請求項４記載の要件に加え、前記音声データ及び映像データは、インターネットを経由して自動収集されることを特徴として成るものである。
この発明によれば、音声データ及び映像データの収集を効率的に行うことができる。
そしてこれら各請求項記載の発明の構成を手段として前記課題の解決が図られる。
【００１３】
【発明の実施の形態】
以下本発明の効果音及び映像の配信システムＳについて説明すると、このシステムは図１に示すように、サーバ１と、インターネット２と、インターネットサービスプロバイダ（以下ＩＳＰと称する）３と、利用者端末５とを主たる構成要素として成るものである。なおこの実施の形態で示す配信システムＳは、前記利用者端末５を利用者の自宅等に配するとともに、この利用者端末５をインターネット２を通じてシステム運営者が管理するサーバ１と接続する形態を採るものであり、利用者はサーバ１内に蓄積された音声データまたは映像データを利用者端末５にダウンロードすることができるものである。
【００１４】
前記サーバ１は、プロセッサ、メモリ、ＨＤＤ（ハードディスクドライブ）等を具えて成るものであり、記憶装置１０たるＨＤＤ内に確保した音声データベース１１、映像データベース１２及び個人情報データベース１３にそれぞれ音声データ及び映像データ及び個人情報を記憶保持する。
なお記憶装置１０は、音声データ用、映像データ用及び個人情報用のものをそれぞれ個別に設けるようにしてもよい。
【００１５】
前記音声データは、効果音、ＢＧＭ等の音声をａｉｆｆ、ｗａｖ、ＭＰ３等のフォーマットで保存したデータである。
また前記映像データは、動画をＭＰＥＧ１、ＭＰＥＧ２等のＭＰＥＧ形式、Ｍ−ＪＰＥＧ等のフォーマットで、あるいは静止画をＪＰＥＧ、ＧＩＦ、ＢＭＰ、ＰＩＣＴ等のフォーマットで保存したデータである。
【００１６】
そしてこれら音声データ及び映像データには、属性情報が付加されるものである。ここで属性情報とは、個々のデータが帰属する群を表すものであり、一つのデータに対しては前記群の大きさが階層的に異なるようなものが複数付加される。この実施の形態では、属性情報の一例として下表１に示すようにカテゴリ情報、意味情報及び名称情報を採用した。具体的には「川の音」を収録した No.１のファイルには、カテゴリ情報として「水」が、意味情報として「自然音」が、名称情報として「川」がそれぞれ属性情報として付加されている。また２〜４番のファイルにもそれぞれ表中に示す属性情報が付加されるものである。
【００１７】
【表１】
0003906345.tif 000002
【００１８】
また前記個人情報は、利用者毎のＩＤ、過去の利用履歴（ダウンロードしたファイル名、アクセス日時、検索に用いたキーワード、ダウンロード率等）、課金情報、支払情報等が該当する。
【００１９】
また前記利用者端末５は、一例として市販のデスクトップ型パソコンを適用するものであり、このものはコンピュータ本体５０と、表示装置５１たるカラー表示のできる市販のディスプレイ（ＣＲＴ、液晶等）と、入力装置たるキーボード５２、マウス５３と、更に左右一対のスピーカ５４とを具えて成る。
また前記コンピュータ本体５０内には処理装置たるＣＰＵ等を内蔵するものであり、更に記憶装置５５たるＨＤＤと、通信デバイス５６たるモデム、ＴＡ、ルータ等とがビルトインされる。もちろんこれら装置は別途外付けするようにしてもよい。
なお利用者端末５としてノート型パソコンを用いることももちろん可能であり、この場合には、前記表示装置５１、キーボード５２、スピーカ５４、記憶装置５５及び通信デバイス５６は、適宜のケースに一体的に内蔵される。
【００２０】
そして前記利用者端末５を、ＩＳＰ３及びインターネット２を経由してシステム運営者が管理するサーバ１と接続することにより、配信システムＳが構成される。
本発明の効果音及び映像の配信システムＳは一例として上述したように構成されるものであり、以下このシステムを用いた音声データ及び映像データの配信態様について説明する。なお利用者がサーバ１内に蓄積された音声データまたは映像データを利用者端末５にダウンロードするにあたっては、利用者の意向によって「あいまい検索」による新規データのダウンロード手法、「場面検索」による新規データのダウンロード手法及びサーバ１側であらかじめ用意した「カテゴリ」から選択することによる新規データのダウンロード手法及び「個人情報」に基づく購入済みデータのダウンロード手法を選ぶことができるものであある。
以下上記「カテゴリ」から選択することによる新規データのダウンロード手法以外のそれぞれの場合について説明する。
【００２１】
Ｉ．あいまい検索による新規データのダウンロード手法
〔サーバへの接続〕
まず利用者は利用者端末５を操作してＩＳＰ３及びインターネット２を経由してサーバ１にアクセスするとともに、キーボード５２の操作等によりパスワードを入力するものであり、サーバ１ではこのパスワードに基づいて本人確認を行う。
もちろん初めての利用の際には、パスワードは発行されていないため、適宜のウィザードに従う等して会員登録、パスワードの発行、支払方法の登録等の手続きを行うようにする。
【００２２】
〔ダウンンロード対象及び検索方法の選択〕
サーバ１への接続が完了すると、表示装置５１にはブラウザ上で図３（ａ）に示すようなトップページが表示される。なおブラウザ上での表示はＨＴＭＬ、ＣＧＩ、ＪＡＶＡ（登録商標）等を用いて行われ、適宜フレームにより画面が分割される。
前記トップページでは、ダウンロードするファイル（音声データまたは映像データ）が新規のものかあるいは購入済のものかを選択し得るものであり、更に新規のものである場合にはそのファイルの選定方法として「カテゴリ」からの選択、「あいまい検索」または「場面検索」の何れかを選択し得るものである。
ここでは新規音声ファイルをダウンロードするものとし、更に検索方法として「あいまい検索」を選択するものであり、ブラウザ上の文字にカーソルを合わせてクリックすることにより、次のステップへと進行する（図２中Ｓ１）。
【００２３】
〔ダウンンロード対象及び検索方法の選択〕
次いでブラウザ上には図３（ｂ）に示すような画面が表示される。このステップＳ２では、ダウンロードするデータのファイル形式を選択するものであり、この実施の形態ではｗａｖ形式で保存された音声データを選択する。
【００２４】
〔検索キーワードの入力〕
次いでステップＳ３では図３（ｃ）に示すように、ダウンロードしたい音声データに関するキーワードを入力するものであり、ここでは一例として「水」と入力する。
そして検索開始ボタンにカーソルを合わせてクリックすることにより、次のステップへと進行する。
【００２５】
〔個人情報照会と付加キーワードの決定〕
次いでサーバ１は、ステップＳ４において個人情報データベース１３に記録された利用者の個人情報を照会するものである。
この個人情報データベース１３には、利用者毎の過去の利用履歴、具体的にはアクセス日時、検索時に入力したキーワード、ダウンロードしたファイル名、ダウンロード率、課金情報、支払情報等が蓄積されている。
ここでは前記個人情報のうち、ダウンロードしたファイル名を使用するものであり、ステップＳ５において一例としてこれらファイルに付加された属性情報のうち、累計が一番多いものを選出する。具体的には一例として利用者Ａが「山」という属性情報の付加されたデータ（山鳥の声（音声データ）、富士山（映像データ）等）を一番多くダウンロードしていた場合に、サーバ１では「山」というキーワードを付加することに決定する。
なおここでは累計が一番多い属性情報を選出するようにしたが、ダウンロードした最新の５件のうち最も多い属性情報、ダウンロードした最新の属性情報等、適宜のものを選出することが可能である。
【００２６】
〔検索〕
次いでステップＳ６において検索を実行するものであり、利用者Ａが入力したキーワード「水」を属性情報として含むファイルを選出するとともに、キーワード「水」と、サーバ１が選定したキーワード「山」との双方を属性情報として含むファイルを選出する。
【００２７】
〔検索結果表示〕
次いでステップＳ７において検索結果を表示するものであり、ブラウザ上には図４（ａ）に示すようにキーワード「水」と、サーバ１が選定したキーワード「山」との双方を属性情報として含むファイル名（湧き水、滝等）が表示され、その下方にキーワード「水」のみを属性情報として含むファイル名（シャワー、水道、雨等）が表示される。
因みに「町並み」という属性情報の付加されたデータ（商店街、喧騒、自動車等）を一番多くダウンロードしていた利用者Ｂが、前記ステップＳ３においてキーワード「水」を入力した場合には、ステップＳ７においてキーワード「水」と、サーバ１が選定したキーワード「町並み」との双方を属性情報として含むファイル名（銭湯、プール、噴水等）が表示され、その下方にキーワード「水」のみを属性情報として含むファイル名（シャワー、水道、雨等）が表示されることとなり、前記利用者Ａのときとは違った検索結果となるものである。
なおここでダウンロード開始前に各ファイルを試聴できるようにすることも可能であり、適宜サンプルボタンをクリックしてストリーミング再生を行うことにより、記憶装置５５上にデータを記録することなく、音声データあるいは映像データの一部を視聴できるようにしてもよい。
【００２８】
〔ダウンロードファイル選択〕
次いでステップＳ８において、図４（ｂ）に示すようにブラウザ上に表示されたファイル名の横にレイアウトされたチェックボックスをクリックすることにより、ダウンロードを希望するファイルを選択するとともに、ダウンロードボタンにカーソルを合わせてクリックすることにより、次のステップへと進行する。
【００２９】
〔ファイル保存場所指定〕
次いでステップＳ９において、図４（ｃ）に示すようにブラウザ上に表示されたウインドにおいて、ダウンロードするファイルの保存場所とファイル名を指定し、保存ボタンにカーソルを合わせてクリックすることにより、次のステップへと進行する。
【００３０】
〔ダウンロード〕
次いでステップＳ１０において、サーバ１における記憶装置１０内に記録されたデータを、利用者端末５における記憶装置５５内にダウンロードするものであり、実行中は図４（ｄ）に示すようなウインドが表示されて進行度合いを確認することができる。
なお音声データ及び映像データのダウンロード態様としては、図２中ステップＳ１〜Ｓ８までの操作を繰り返した後、選択された複数のファイルを一括してダウンロードするようにしてもよい。
【００３１】
また図２に示すフローチャートには記載していないが、サーバ１はダウンロード（ステップＳ１０）が終了した時点で個人情報データベース１３における利用者Ａの情報を最新のものに書き換える。
【００３２】
II．場面検索による新規データのダウンロード手法
引き続いて場面検索による新規データのダウンロード手法について説明を行うが、以下の説明では上記あいまい検索による新規データのダウンロード手法と共通する部分については適宜その説明を簡略化する。
〔サーバへの接続〕
まず利用者は利用者端末５を操作してＩＳＰ３及びインターネット２を経由してサーバ１にアクセスする。
【００３３】
〔ダウンンロード対象及び検索方法の選択〕
次いでサーバ１への接続が完了して表示装置５１にブラウザ上で図６（ａ）に示すようなトップページが表示されたら、この実施の形態では新規音声ファイルをダウンロードするものとし、更に検索方法として「場面検索」を選択するものであり、ブラウザ上の文字にカーソルを合わせてクリックすることにより、次のステップへと進行する（図５中ステップＳ２）。
【００３４】
〔ダウンンロード対象及び検索方法の選択〕
次いでブラウザ上に図６（ｂ）に示すような画面が表示されるステップＳ２では、ダウンロードするデータのファイル形式を選択するものであり、この実施の形態ではｗａｖ形式で保存された音声データを選択する。
【００３５】
〔検索キーワードの入力〕
次いでブラウザ上に図６（ｃ）に示すような画面が表示されるステップＳ３では、ダウンロードしたい音声データに関するキーワードを、その音声データを使用する「場面」に関する言葉として入力するものであり、ここでは一例として「夏祭」と入力した。
そして検索開始ボタンにカーソルを合わせてクリックすることにより、次のステップへと進行する。
なお前記キーワードの入力は、あらかじめ用意された複数の「場面」に関する言葉をプルダウンメニュー等から選択して行うようにすることもできる。
またここでは音声データをダウンロードすることを目的としているが、映像データをダウンロードすることを目的とする場合にも同様の操作を行うものとする。
【００３６】
〔検索〕
次いでステップＳ４において検索を実行するものであり、利用者Ａが入力したキーワード「夏祭」を属性情報として含むファイルを選出する。
ここでは一例として「打ち上げ花火」、「縁日」、「太鼓」、「笛」等に関する音声データが選出されるものとした。もちろん利用者の要求によって、音声データに加え「夏祭」を属性情報として含む映像データを選出するようにすることもできる。
【００３７】
〔検索結果表示〕
次いでステップＳ５において検索結果を表示するものであり、ブラウザ上には図７（ａ）に示すようにキーワード「夏祭」を属性情報として含むファイル名（打ち上げ花火、縁日、太鼓、笛等）が表示される。
【００３８】
〔ダウンロードファイル選択〕
次いでステップＳ６において、図７（ｂ）に示すようにブラウザ上に表示されたファイル名の横にレイアウトされたチェックボックスをクリックすることにより、ダウンロードを希望するファイルを選択するとともに、ダウンロードボタンにカーソルを合わせてクリックすることにより、次のステップへと進行する。
【００３９】
〔ファイル保存場所指定〕
次いでステップＳ７では、ダウンロードするファイルの保存場所とファイル名を指定し次のステップへと進行する。
【００４０】
〔ダウンロード〕
次いでステップＳ８において、サーバ１における記憶装置１０内に記録されたデータを、利用者端末５における記憶装置５５内にダウンロードするものである。
【００４１】
なお図５に示すフローチャートには記載していないが、サーバ１はダウンロード（ステップＳ８）が終了した時点で個人情報データベース１３における利用者Ａの情報を最新のものに書き換える。
【００４２】
III.購入済データのダウンロード手法
引き続いて購入済データのダウンロード手法について説明を行うが、以下の説明では上記あいまい検索あるいは場面検索による新規データのダウンロード手法と共通する部分については適宜その説明を簡略化する。
〔サーバへの接続〕
まず利用者は利用者端末５を操作してＩＳＰ３及びインターネット２を経由してサーバ１にアクセスする。
【００４３】
〔ダウンンロード対象及び検索方法の選択〕
次いでサーバ１への接続が完了して表示装置５１にブラウザ上で図９（ａ）に示すようなトップページが表示されたら、この実施形態では購入済みファイルをダウンロードするため、ブラウザ上の文字（ここでは効果音）にカーソルを合わせてクリックすることにより、次のステップへと進行する（図８中ステップＳ１）。
【００４４】
〔個人情報照会〕
次いでサーバ１は、ステップＳ２において個人情報データベース１３に記録された利用者の個人情報を照会するとともに、購入済みのファイルをリストアップする。
【００４５】
〔購入済みファイル一覧表示〕
次いでステップＳ３において、ブラウザ上で図９（ｂ）に示すように購入済みのファイルをリストを表示するものである。
【００４６】
〔ダウンロードファイル選択〕
次いでステップＳ４において、図９（ｃ）に示すようにブラウザ上に表示されたファイル名の横にレイアウトされたチェックボックスをクリックすることにより、ダウンロードを希望するファイルを選択するとともに、ダウンロードボタンにカーソルを合わせてクリックすることにより、次のステップへと進行する。
【００４７】
〔ファイル保存場所指定〕
次いでステップＳ５では、ダウンロードするファイルの保存場所とファイル名を指定し次のステップへと進行する。
【００４８】
〔ダウンロード〕
次いでステップＳ６において、サーバ１における記憶装置１０内に記録されたデータを、利用者端末５における記憶装置５５内にダウンロードするものである。
【００４９】
なお図８に示すフローチャートには記載していないが、サーバ１はダウンロード（ステップＳ６）が終了した時点で個人情報データベース１３における利用者Ａの情報を最新のものに書き換える。
なお利用者は、あらかじめ設定された期間を過ぎる等して履歴が消去されていなければ、期間内に何度でも購入済みのデータをダウンロードすることができるものである。
【００５０】
IV．データの自動収集
配信システムＳにおける音声データ及び映像データの配信方法は以上述べたとおりであるが、このような配信を複数の利用者に行ってゆくうちに、サーバ１における個人情報データベース１３に蓄積されるデータも増大してゆく。そこでこれら利用者毎の過去の利用履歴に基づいて、以降どのような音声データまたは映像データを、音声データベース及び映像データベースに蓄積するかを決定するものであり、この決定に基づいてデータの収集を行うようする。
この実施の形態では、属性情報のうち、一例としてカテゴリ情報を基準として収集するデータを決定するものであり、例えばカテゴリ情報が「水」であるデータが多く配信されていた場合には、水に関するデータを収集するようにする。具体的には一例としてファイル名に水、ｗａｔｅｒ等の文字列を含むものが対象となるものである。
またこの実施の形態では音声データ及び映像データを、インターネットを経由して、著作権フリーのサイトや、提携サイト等から自動収集するものとするが、配信システム運営者が適宜手動で追加することももちろん可能である。
【００５１】
【発明の効果】
本発明によれば、利用者の要求を満足する効果音、映像等を合理的に収集、配信することができる。このため利用者は所望の効果音及び映像を容易に入手することができるようになり、映像作品の制作を広く普及させることができる。
【図面の簡単な説明】
【図１】  本発明の配信システムを示すブロック図である。
【図２】  あいまい検索による新規データのダウンロード手法を示すフローチャートである。
【図３】  あいまい検索による新規データのダウンロードを実行する際に表示装置に示される画面を示す模式図である。
【図４】  同上あいまい検索による新規データのダウンロードを実行する際に表示装置に示される画面を示す模式図である。
【図５】  場面検索による新規データのダウンロード手法を示すフローチャートである。
【図６】  場面検索による新規データのダウンロードを実行する際に表示装置に示される画面を示す模式図である。
【図７】  同上場面検索による新規データのダウンロードを実行する際に表示装置に示される画面を示す模式図である。
【図８】  購入済みデータのダウンロード手法を示すフローチャートである。
【図９】  購入済みデータのダウンロードを実行する際に表示装置に示される画面を示す模式図である。
【符号の説明】
１    サーバ
１０  記憶装置
２    インターネット
３    インターネットサービスプロバイダ（ＩＳＰ）
１１  音声データベース
１２  映像データベース
１３  個人情報データベース
５    利用者端末
５０  コンピュータ本体
５１  表示装置
５２  キーボード
５３  マウス
５４  スピーカ
５５  記憶装置
５６  通信デバイス
Ｓ    配信システム
【図１】
0003906345.tif 000003
【図２】
0003906345.tif 000004
【図３】
0003906345.tif 000005
【図４】
0003906345.tif 000006
【図５】
0003906345.tif 000007
【図６】
0003906345.tif 000008
【図７】
0003906345.tif 000009
【図８】
0003906345.tif 000010
【図９】
0003906345.tif 000011